(57)【要約】      （修正有）【課題】  第１の押釦と第２の押釦の結合作業の簡便化を図る。【解決手段】  中央部に配置孔３５ａを有する環状操作部３５と該環状操作部から外方へ突出された突出部３６、３６、・・・とを有する第１の押釦１３と、配置孔に挿入されるセンター操作部３９と該センター操作部から外方へ突出され弾性を有する撓み脚部４０、４０と該撓み脚部の先端部に設けられた結合部４１、４１とを有する第２の押釦１４とを設け、突出部に第１の係合部３６ａ、３６ａを設け、結合部に第２の係合部４１ａ、４１ａを設け、撓み脚部をセンター操作部の配置孔に対する挿入方向側に撓ませて弾性変形させ該挿入方向において第２の係合部を第１の係合部に重ね合わせ、撓み脚部を弾性復帰させて第１の係合部と第２の係合部を係合して第１の押釦と第２の押釦を結合するようにした。【選択図】図１１
2007257844.tif 000002
【特許請求の範囲】
【請求項１】
中央部に配置孔を有する環状に形成された環状操作部と該環状操作部から外方へ突出された突出部とを有する第１の押釦と、
該第１の押釦の配置孔に挿入されて配置されるセンター操作部と該センター操作部から外方へ突出され弾性を有する撓み脚部と該撓み脚部の先端部に設けられた結合部とを有する第２の押釦とを備え、
第１の押釦の突出部に第１の係合部を設け、
第２の押釦の結合部に第２の係合部を設け、
第２の押釦の撓み脚部をセンター操作部の配置孔に対する挿入方向側に撓ませて弾性変形させ該挿入方向において第２の係合部を第１の押釦の第１の係合部に重ね合わせ、撓み脚部を弾性復帰させて第１の係合部と第２の係合部を係合して第１の押釦と第２の押釦を結合するようにした
ことを特徴とする押釦構造。
【請求項２】
第１の押釦の第１の係合部を係合ピン又は係合孔として形成し、
第２の押釦の第２の係合部を係合孔又は係合ピンとして形成し、
係合ピンを係合孔に挿入して第１の押釦と第２の押釦を結合するようにした
ことを特徴とする請求項１に記載の押釦構造。
【請求項３】
撓み脚部が弾性復帰されて係合ピンが係合孔に挿入されたときに撓み脚部の弾性によって上記挿入方向において突出部と結合部が接するようにした
ことを特徴とする請求項２に記載の押釦構造。
【発明の詳細な説明】
【技術分野】
【０００１】
本発明は押釦構造についての技術分野に関する。詳しくは、第１の押釦と第２の押釦を備えた構造において、両者の結合作業の簡便化を図る技術分野に関する。
【背景技術】
【０００２】
各種の電子機器には、押圧操作されることにより各種の機能を発揮する押釦が設けられている（例えば、特許文献１参照）。
【０００３】
押釦を有する押釦構造として、環状に形成された環状操作部を有する第１の押釦と該第１の押釦の内側に挿入されて配置されるセンター操作部を有する第２の押釦が結合されて成る構造がある。
【０００４】
このような第１の押釦と第２の押釦を有する押釦構造にあっては、一般に、第１の押釦に環状操作部から外方へ突出された突出部を設け、第２の押釦にセンター操作部から外方へ突出された結合部を設け、突出部と結合部を溶着することにより第１の押釦と第２の押釦を結合するようにしている。
【０００５】
【特許文献１】特開２００２−４２６１２号公報
【発明の開示】
【発明が解決しようとする課題】
【０００６】
ところが、第１の押釦と第２の押釦を溶着により結合する場合には、溶着に時間がかかり作業性が悪いという不具合がある。
【０００７】
また、溶着を行う場合には、溶着を行うための専用の治具が必要となり、その分、製造コストが高いという問題もある。
【０００８】
そこで、本発明押釦構造は、上記した問題点を克服し、第１の押釦と第２の押釦の結合作業の簡便化を図ることを課題とする。
【課題を解決するための手段】
【０００９】
本発明押釦構造は、上記した課題を解決するために、中央部に配置孔を有する環状に形成された環状操作部と該環状操作部から外方へ突出された突出部とを有する第１の押釦と、該第１の押釦の配置孔に挿入されて配置されるセンター操作部と該センター操作部から外方へ突出され弾性を有する撓み脚部と該撓み脚部の先端部に設けられた結合部とを有する第２の押釦とを設け、第１の押釦の突出部に第１の係合部を設け、第２の押釦の結合部に第２の係合部を設け、第２の押釦の撓み脚部をセンター操作部の配置孔に対する挿入方向側に撓ませて弾性変形させ該挿入方向において第２の係合部を第１の押釦の第１の係合部に重ね合わせ、撓み脚部を弾性復帰させて第１の係合部と第２の係合部を係合して第１の押釦と第２の押釦を結合するようにしたものである。
【００１０】
従って、本発明押釦構造にあっては、第２の押釦の撓み脚部の弾性によって第１の係合部と第２の係合部が係合されて第１の押釦と第２の押釦が結合される。
【発明の効果】
【００１１】
本発明押釦構造は、中央部に配置孔を有する環状に形成された環状操作部と該環状操作部から外方へ突出された突出部とを有する第１の押釦と、該第１の押釦の配置孔に挿入されて配置されるセンター操作部と該センター操作部から外方へ突出され弾性を有する撓み脚部と該撓み脚部の先端部に設けられた結合部とを有する第２の押釦とを備え、第１の押釦の突出部に第１の係合部を設け、第２の押釦の結合部に第２の係合部を設け、第２の押釦の撓み脚部をセンター操作部の配置孔に対する挿入方向側に撓ませて弾性変形させ該挿入方向において第２の係合部を第１の押釦の第１の係合部に重ね合わせ、撓み脚部を弾性復帰させて第１の係合部と第２の係合部を係合して第１の押釦と第２の押釦を結合するようにしたことを特徴とする。
【００１２】
従って、第１の押釦と第２の押釦を溶着により結合する必要がなく、結合作業を簡単かつ短時間で行うことができ、結合作業の簡便化を図ることができる。
【００１３】
請求項２に記載した発明にあっては、第１の押釦の第１の係合部を係合ピン又は係合孔として形成し、第２の押釦の第２の係合部を係合孔又は係合ピンとして形成し、係合ピンを係合孔に挿入して第１の押釦と第２の押釦を結合するようにしたので、結合作業における作業性の向上を図ることができる。
【００１４】
請求項３に記載した発明にあっては、撓み脚部が弾性復帰されて係合ピンが係合孔に挿入されたときに撓み脚部の弾性によって上記挿入方向において突出部と結合部が接するようにしたので、第１の押釦と第２の押釦の間にガタツキが発生せず、両者の結合状態の安定化を図ることができる。
【発明を実施するための最良の形態】
【００１５】
以下に、本発明を実施するための最良の形態を添付図面に従って説明する。
【００１６】
以下に示した最良の形態は、本発明をスチルカメラに適用したものである。
【００１７】
尚、本発明の適用範囲はスチルカメラに限られることはなく、例えば、ビデオカメラや他の装置等の各種の機器に広く適用することができる。
【００１８】
以下の説明にあっては、スチルカメラの撮影時において撮影者から見た方向で前後上下左右の方向を示すものとする。従って、例えば、被写体側が前方となり、撮影者側が後方となる。
【００１９】
尚、以下に示す前後上下左右の方向は説明の便宜上のものであり、本発明の実施に関しては、これらの方向に限定されることはない。
【００２０】
スチルカメラ１は筐体２内に所要の各部が配置されて成り、該筐体２は、例えば、横長の扁平な形状に形成されている（図１乃至図３参照）。従って、筐体２の外面は、前面２ａ、後面２ｂ、上面２ｃ、下面２ｄ、左側面２ｅ及び右側面２ｆによって構成されている。
【００２１】
前面２ａは、図１及び図２に示すように、右端部を除いた部分が該右端部より稍後方に位置する支持凹部３として形成され、右端部が非支持面部４として形成されている。前面２ａの支持凹部３と非支持面部４の間には、例えば、前斜め左方を向き上下に延びる段差部５が形成されている。
【００２２】
支持凹部３の上端部には撮影レンズ６、フラッシュ７及びセルフタイマー用レンズ８が設けられている。
【００２３】
支持凹部３にはスライドカバー９が上下方向へスライド自在に支持されている。スライドカバー９は、上下方向における長さが筐体２の上下方向における長さより短くされ、左右方向における長さが支持凹部３の左右方向における長さと同じにされている。スライドカバー９の前面９ａは前方に凸の緩やかな曲面状に形成され、上端面９ｂと下端面９ｃがそれぞれ平面状に形成されている。
【００２４】
非支持面部４の前面４ａは、スライドカバー９の前面９ａと略同じ曲率を有する前方に凸の緩やかな曲面に形成されている。従って、非支持面部４の前面４ａとスライドカバー９の前面９ａとは連続した緩やかな曲面とされる（図４参照）。
【００２５】
スライドカバー９は上方側の移動端において、上端面９ｂが筐体２の上面２ｃと同一平面上に位置されている（図１参照）。スライドカバー９のこの位置は、撮影レンズ６、フラッシュ７及びセルフタイマー用レンズ８を閉塞する閉塞位置とされる。
【００２６】
スライドカバー９は下方側の移動端において、下端面９ｃが筐体２の下面２ｄと同一平面上に位置されている（図２参照）。スライドカバー９のこの位置は、撮影レンズ６、フラッシュ７及びセルフタイマー用レンズ８を開放する開放位置とされる。
【００２７】
スチルカメラ１にあっては、スライドカバー９を閉塞位置から開放位置へスライドすることにより電源が投入され、スライドカバー９を開放位置から閉塞位置へスライドすることにより電源が切断される。
【００２８】
スライドカバー９が閉塞位置から開放位置まで移動されたときには、筐体２の段差部５の上端部が露出される（図２参照）。段差部５の露出された部分は、使用者が撮影時等に指を宛う指宛部５ａとされる。
【００２９】
非支持面部４の下端寄りの位置には前方へ突出されたストラップ取付部１０が設けられている。
【００３０】
ストラップ取付部１０は、図５に示すように、非支持面部４の左端部から前方へ突出された突出部１０ａと、非支持面部４の右端部から前方へ突出されたストラップ巻付部１０ｂと、突出部１０ａの前端とストラップ巻付部１０ｂの前端とを連結する庇部１０ｃとが一体に形成されて成る。ストラップ巻付部１０ｂは全体が庇部１０ｃに前方から覆われた大きさに形成されている（図６参照）。
【００３１】
ストラップ巻付部１０ｂにはストラップ１００の一端部１０１が巻き付けられる。ストラップ１００の一端部１０１がストラップ巻付部１０ｂに巻き付けられた状態においては、ストラップ巻付部１０ｂの全体が庇部１０ｃに前方から覆われた大きさに形成さているため、一端部１０１が庇部１０ｃから外方へ突出しないようにされている（図６参照）。
【００３２】
筐体２の後面２ｂには、その右端部を除いた位置に表示パネル部１１が設けられている（図３参照）。表示パネル部１１としては、例えば、液晶パネルが用いられている。
【００３３】
後面２ｂの右端部には、上端部にズーム摘子１２が配置され、下端寄りの位置に第１の押釦１３及び第２の押釦１４が配置され、第１の押釦１３の周囲の位置に操作釦１５、１５、・・・が配置されている。
【００３４】
ズーム摘子１２はズーミングを行うための摘子であり、ズーム摘子１２を左右に押圧操作することにより広角撮影又は望遠撮影を行うことができる。
【００３５】
第１の押釦１３は円環状に形成され、第１の押釦１３を上下左右に押圧操作することにより、例えば、フラッシュ撮影、セルフタイマーでの撮影、撮影した画像の再生、被写体の近接撮影（マクロ撮影）等の各種の機能を実行することができる。
【００３６】
第２の押釦１４は第１の押釦１３の中心部に配置され、第２の押釦１４を押圧操作することにより、選択した機能の実行等を行うことができる。
【００３７】
操作釦１５、１５、・・・を押圧操作することにより、各種のメニューの表示、画面の表示の切り替え、撮影した画像の削除、スライドショーの実行等を行うことができる。
【００３８】
筐体２の上面２ｃには、その右端寄りの位置に、シャッター釦１６が配置されている。シャッター釦１６は静止画撮影又は動画撮影を行うときに押圧操作される釦である。
【００３９】
上面２ｃには、シャッター釦１６の左右の位置に、それぞれ電源釦１７と手振れ防止用釦１８が配置されている。電源釦１７を押圧操作することにより電源の投入又は投入されていた電源の切断が行われ、手振れ防止用釦１８を押圧操作することにより手振れ補正機能が実行される。
【００４０】
尚、スチルカメラ１にあっては、上記したように、スライドカバー９を閉塞位置から開放位置へスライドすることによっても電源が投入され、スライドカバー９を開放位置から閉塞位置へスライドすることによっても電源が切断される。
【００４１】
上面２ｃの後端部にはスライド摘子１９が配置されている。スライド摘子１９は、静止画撮影モード、動画撮影モード及び画像再生モードの切替を行うための摘子である。
【００４２】
筐体２の下面２ｄには、三脚用穴２０と接続コネクター２１が設けられている（図４参照）。三脚用穴２０は三脚を取り付けるための穴であり、接続コネクター２１は、例えば、プリンター等の外部機器を接続するためのコネクターである。
【００４３】
筐体２の右側面２ｆには、右方に開口された収納凹部２２が形成されている（図７参照）。収納凹部２２には充電電池２３が収納され、収納凹部２２は蓋部材２４によって開閉される。
【００４４】
撮影時には、使用者はスチルカメラ１を、例えば、左手２００及び右手３００の両手で把持して使用する（図８参照）。
【００４５】
また、撮影時には、例えば、右手３００のみによって把持して使用することも可能である（図９及び図１０参照）。
【００４６】
右手３００のみの把持方法としては、例えば、図９に示すように、スライドカバー９が開放位置にある状態において、親指３０１を後面２ｂ又は下面２ｄに宛い、人差し指３０２をシャッター釦１６に宛い、中指３０３を指宛部５ａとスライドカバー９の上端部９ｂに跨るように宛い、薬指３０４を上方からストラップ取付部１０に宛い、小指３０５を前面２ａ又は下面２ｄに宛う方法がある。
【００４７】
また、右手３００のみの別の把持方法として、例えば、図１０に示すように、スライドカバー９が開放位置にある状態において、親指３０１を後面２ｂ又は下面２ｄに宛い、人差し指３０２をシャッター釦１６に宛い、中指３０３を指宛部５ａとスライドカバー９の上端部９ｂに跨るように宛い、薬指３０４を折り曲げて上方からストラップ取付部１０に宛い、小指３０５を折り曲げて前面２ａ又は下面２ｄに宛う方法もある。
【００４８】
このときストラップ１００がストラップ取付部１０に取り付けられている場合であっても、上記したように、ストラップ１００の一端部１０１が庇部１０ｃから外方へ突出されていないため、使用者がスチルカメラ１を把持している状態において、指がストラップ１００の一端部１０１に接触し難く、使用者はスチルカメラ１を違和感なく把持することができる。
【００４９】
上記のように、ストラップ取付部１０は、使用者が把持したときに指が宛われる指宛て突部としても機能する。
【００５０】
以上のように、スチルカメラ１にあっては、段差状又は突状の指宛部５ａ、スライドカバー９の上端部９ｂ及びストラップ取付部１０が設けられているため、撮影時にスチルカメラ１の各部に宛われた指が滑り難く、良好な把持状態を確保することができ、使い勝手の向上を図ることができる。
【００５１】
また、使用者がスチルカメラ１を把持した状態において、例えば、中指３０３が筐体２の非支持面部４の前面４ａとスライドカバー９の前面９ａとに跨った状態で宛われる場合も生じるが、上記したように、非支持面部４の前面４ａとスライドカバー９の前面９ａとは連続した緩やかな曲面とされているため、使用者は中指３０３を違和感なく宛うことができる。
【００５２】
尚、上記には、非支持面部４の前面４ａとスライドカバー９の前面９ａとを連続した緩やかな曲面とした例を示したが、例えば、非支持面部４の前面４ａとスライドカバー９の前面９ａとを連続した平面に形成してもよい。非支持面部４の前面４ａとスライドカバー９の前面９ａとを連続した平面に形成した場合にも、使用者は中指３０３を違和感なく両者に跨った状態で宛うことができる。
【００５３】
また、スチルカメラ１にあっては、筐体２の後面２ｂに表示パネル部１１が設けられ、上面２ｃにシャッター釦１６が配置されているため、スチルカメラ１を把持したときに表示パネル部１１に表示される画像を視認し易いと共にシャッター釦１６に指を宛い易く、画像の良好な視認性及び操作性を確保することができ、使い勝手の向上を図ることができる。
【００５４】
さらに、スチルカメラ１にあっては、撮影時に指が宛われる指宛て突部として機能するストラップ取付部１０を非支持面部４に設けているため、スライドカバー９の移動に伴ってストラップ取付部１０の位置が変化することがなく、スチルカメラ１の把持状態の安定化を図ることができる。
【００５５】
加えて、ストラップ取付部１０を指宛て突部として設けているため、ストラップ取付部１０の他に専用の指宛て突部を設ける必要がなく、部品点数の削減及びスチルカメラ１の構成の簡素化を図ることができる。
【００５６】
筐体２は、前後で結合されたフロントパネル２５、リアパネル２６とフロントパネル２５、リアパネル２６間に配置された保持フレーム２７とを有している（図３参照）。
【００５７】
リアパネル２６の右端部は縦長の釦配置部２６ａとして設けられ、該釦配置部２６ａには複数の釦配置孔２６ｂ、２６ｂ、・・・が形成されている（図１１参照）。
【００５８】
釦配置部２６ａの前面には、釦ユニット２８が、例えば、接着等によって固定されている。釦ユニット２８は、縦長の形状に形成された枠部２９と、該枠部２９の左右に位置する部分を連結する連結部３０と、該連結部３０の左右方向における中央部から略上方へ突出された弾性変形部３１、３１と、該弾性変形部３１、３１の上端部に設けられたズーム摘子１２と、連結部３０の左右方向における中央部から下方へ突出された取付部３２と、枠部２９の所定の各位置から内方へ突出された撓み弾性部３３、３３、・・・と、該撓み弾性部３３、３３、・・・の各一端部に設けられた操作釦１５、１５、・・・と、枠部２９の下端部から上方へ突出された取付部３４とが樹脂材料によって一体に形成されて成る。釦ユニット２８の表面にはメッキ処理が施されている。
【００５９】
取付部３２、３４にはそれぞれ取付孔３２ａ、３４ａが形成されている。
【００６０】
枠部２９の内側には第１の押釦１３と第２の押釦１４が結合された状態で配置される（図１１及び図１２参照）。
【００６１】
第１の押釦１３は、図１３及び図１４に示すように、円環状に形成された環状操作部３５と、該環状操作部３５の外周面における等間隔の位置から放射方向へ突出された四つの突出部３６、３６、・・・と、該突出部３６、３６、・・・からそれぞれ略直交する方向へ突出された撓み部３７、３７、・・・と、該撓み部３７、３７、・・・の先端部に設けられた被取付部３８、３８とが樹脂材料によって一体に形成されて成る。第１の押釦１３の表面にはメッキ処理が施されている。
【００６２】
環状操作部３５の中心孔は配置孔３５ａとして形成されている。
【００６３】
突出部３６、３６、・・・のうち、第１の押釦１３の中心を挟んで互いに反対側に位置する２つの突出部３６、３６には、それぞれ後方へ突出された係合ピン３６ａ、３６ａが設けられている。
【００６４】
撓み部３７、３７、・・・はそれぞれ環状操作部３５の外周面に沿って位置された円弧状部３７ａ、３７ａ、・・・と該円弧状部３７ａ、３７ａに連続し上下に延びる直線部３７ｂ、３７ｂ、・・・とから成り、２つずつの直線部３７ｂ、３７ｂ、・・・が隣接して平行な状態とされ、これらの隣接した２つずつの直線部３７ｂ、３７ｂ、・・・の先端部に連続してそれぞれ被取付部３８、３８が設けられている。
【００６５】
被取付部３８、３８にはそれぞれ前方へ突出された被取付ピン３８ａ、３８ａが設けられている。
【００６６】
第２の押釦１４は、図１３に示すように、センター操作部３９と、該センター操作部３９の外周面からそれぞれ外方へ突出された撓み脚部４０、４０と、該撓み脚部４０、４０の各先端部に設けられた結合部４１、４１とが樹脂材料によって一体に形成されて成る。第２の押釦１４の表面にはメッキ処理が施されている。
【００６７】
センター操作部３９は外形が円柱状に形成された被押圧部３９ａと該被押圧部３９ａの前端部に設けられたフランジ部３９ｂとから成る。
【００６８】
撓み脚部４０、４０はセンター操作部３９の中心を挟んで互いに反対側へ突出された基部４０ａ、４０ａと、該基部４０ａ、４０ａにそれぞれ連続しフランジ部３９ｂ、３９ｂの外周面に沿うように略円弧状に形成された曲線部４０ｂ、４０ｂと、該曲線部４０ｂ、４０ｂに連続し互いに同じ方向へ延びる先端部４０ｃ、４０ｃとから成る。
【００６９】
結合部４１、４１にはそれぞれ係合孔４１ａ、４１ａが形成されている。結合部４１、４１は、それぞれ撓み脚部４０、４０の先端部からセンター操作部３９の周方向へ突出して設けられている。
【００７０】
第１の押釦１３と第２の押釦１４は、以下のようにして結合される（図１３乃至図１７参照）。
【００７１】
先ず、第１の押釦１３の環状操作部３５に形成された配置孔３５ａに第２の押釦１４のセンター操作部３９の被押圧部３９ａを前方から挿入する（図１３参照）。
【００７２】
次に、第２の押釦１４をセンター操作部３９を中心に結合部４１、４１が係合ピン３６ａ、３６ａに近付く方向へ回転する（図１４参照）。
【００７３】
次いで、第２の押釦１４を回転させながら撓み脚部４０、４０をセンター操作部３９の配置孔３５ａに対する挿入方向（前方）側に撓ませて弾性変形させ、結合部４１、４１をそれぞれ係合ピン３６ａ、３６ａに重ねるように位置させる（図１５参照）。
【００７４】
最後に、撓み脚部４０、４０に付与していた外力を解除して弾性復帰させ、結合部４１、４１の係合孔４１ａ、４１ａにそれぞれ係合ピン３６ａ、３６ａを挿入し、第１の押釦１３と第２の押釦１４の結合を完了する（図１６及び図１７参照）。従って、第１の押釦１３の係合ピン３６ａ、３６ａと第２の押釦１４の係合孔４１ａ、４１ａは、互いに係合される第１の係合部と第２の係合部として機能する。
【００７５】
第１の押釦１３と第２の押釦１４が結合された状態においては、第２の押釦１４の撓み脚部４０、４０の弾性によって結合部４１、４１がそれぞれ第１の押釦１３の突出部３６、３６に押し付けられる（図１７参照）。
【００７６】
上記のように第１の押釦１３と第２の押釦１４が結合された状態において、図１２に示すように、第１の押釦１３の被取付部３８、３８に設けられた被取付ピン３８ａ、３８ａを釦ユニット２８の取付部３２、３４に形成された取付孔３２ａ、３４ａにそれぞれ後方から挿入し、第１の押釦１３及び第２の押釦１４を釦ユニット２８に取り付ける。
【００７７】
第１の押釦１３及び第２の押釦１４を釦ユニット２８に取り付けた状態において、上記したように、接着等によって釦配置部２６ａの前面に釦ユニット２８を固定する。釦配置部２６ａの前面に釦ユニット２８を固定することにより、第１の押釦１３の被取付部３８、３８が釦ユニット２８の取付部３２、３４と釦配置部２６ａの前面とによって押さえられ、第１の押釦１３及び第２の押釦１４が釦配置部２６ａに保持される。
【００７８】
このように釦ユニット２８、第１の押釦１３及び第２の押釦１４が釦配置部２６ａに配置されると、ズーム摘子１２、第１の押釦１３の環状操作部３５、第２の押釦１４のセンター操作部３９及び操作釦１５、１５、・・・がそれぞれ釦配置部２６ａの釦配置孔２６ｂ、２６ｂ、・・・に挿入され、各一部が釦配置孔２６ｂ、２６ｂ、・・・から後方へ突出される。
【００７９】
筐体２の内部には、釦ユニット２８の直前の位置に図示しないスイッチ用回路基板が配置されている。スイッチ用回路基板には、ズーム摘子１２、第１の押釦１３、第２の押釦１４及び操作釦１５、１５、・・・に対向する位置にそれぞれスイッチが設けられている。
【００８０】
使用者がズーム摘子１２を押圧操作すると釦ユニット２８の弾性変形部３１、３１が弾性変形されてスイッチを押圧しズーム機能が実行され、第１の押釦１３の環状操作部３５を押圧操作すると撓み部３７、３７、・・・が弾性変形されてスイッチを押圧しフラッシュ撮影機能等の所定の機能が実行され、第２の押釦１４のセンター操作部３９を押圧操作すると撓み脚部４０、４０が弾性変形されてスイッチを押圧し所定の機能が実行され、操作釦１５、１５、・・・を操作すると撓み弾性部３３、３３、・・・が弾性変形されてスイッチを押圧し各種のメニューの表示等の所定の機能が実行される。
【００８１】
以上に記載した通り、スチルカメラ１にあっては、第２の押釦１４の撓み脚部４０、４０をセンター操作部３９の配置孔３５ａに対する挿入方向側に撓ませて弾性変形させ第１の押釦１３の第１の係合部と第２の押釦１４の第２の係合部を係合して第１の押釦１３と第２の押釦１４を結合するようにしている。
【００８２】
従って、第１の押釦１３と第２の押釦１４を溶着により結合する必要がなく、結合作業を簡単かつ短時間で行うことができ、結合作業の簡便化を図ることができる。
【００８３】
また、第１の押釦１３と第２の押釦１４の表面にメッキ処理を施した場合には、メッキが溶融しないため溶着を行うことができないが、上記したように、第１の係合部と第２の係合部を係合して第１の押釦１３と第２の押釦１４を結合する方法を用いることにより、第１の押釦１３及び第２の押釦１４の表面にメッキ処理を施すことができる。
【００８４】
さらに、メッキ処理を施した場合には、第１の押釦１３の環状操作部３５の後面や第２の押釦１４のセンター操作部３９の後面に微細な円環状の溝形状を複数形成して成る所謂スピン目加工（図１６に示すｓ、ｓ、・・・）等の意匠的な加工を施すことが可能となり、デザイン性の向上を図ることができる。
【００８５】
さらにまた、スチルカメラ１にあっては、第１の係合部として係合ピン３６ａ、３６ａを設け、第２の係合部として係合孔４１ａ、４１ａを形成し、係合ピン３６ａ、３６ａを係合孔４１ａ、４１ａにそれぞれ挿入して第１の押釦１３と第２の押釦１４を結合するようにしているため、結合作業における作業性の向上を図ることができる。
【００８６】
加えて、第１の押釦１３と第２の押釦１４が結合された状態において、第２の押釦１４の撓み脚部４０、４０の弾性によって結合部４１、４１がそれぞれ第１の押釦１３の突出部３６、３６に押し付けられるため（図１７参照）、第１の押釦１３と第２の押釦１４の間にガタツキが発生せず、両者の結合状態の安定化を図ることができる。
【００８７】
尚、上記には、第１の押釦１３に係合ピン３６ａ、３６ａを設け、第２の押釦１４に係合孔４１ａ、４１ａを形成して両者を係合する例を示したが、逆に、第１の押釦１３に係合孔を形成し、第２の押釦１４に係合ピンを設けて両者を係合するようにしてもよい。
【００８８】
また、上記には、係合ピンと係合孔による係合を例として示したが、これに代えて、例えば、第１の押釦１３と第２の押釦１４の一方に突部を設け他方に凹部を形成して両者を嵌合することにより第１の押釦１３と第２の押釦１４を結合するようにしてもよく、また、第１の押釦１３と第２の押釦１４の双方に係合爪を設け両者を係合することにより第１の押釦１３と第２の押釦１４を結合するようにしてもよい。
【００８９】
筐体２の右側面２ｆには、上記したように、収納凹部２２が形成されている（図７及び図１８参照）。筐体２の保持フレーム２７には、収納凹部２２の下側開口縁に電池ロック部材４２が回転可能に支持されている（図７参照）。
【００９０】
保持フレーム２７の収納凹部２２の開口縁には、その前縁部と後縁部に上下に離隔して２つずつのロック片２７ａ、２７ａ、・・・が後方又は前方へ突出された状態で設けられている（図７には二つのロック片２７ａ、２７ａのみを示す。）。
【００９１】
保持フレーム２７の収納凹部２２が形成された部分の上方の位置には、前後に離隔して軸支持孔４３、４３が形成されている（図１８参照）。軸支持孔４３、４３は上下に長く形成され、前後方向において貫通されている。
【００９２】
保持フレーム２７の右端部における上端部には規制部４４が設けられている（図１８及び図１９参照）。規制部４４は縦長の形状に形成され、下面が回動規制面部４４ａとして形成され、左側面が第１の受け面部４４ｂとして形成され、上面が第２の受け面部４４ｃとして形成されている。規制部４４の第１の受け面部４４ｂと第２の受け面部４４ｃの間には上方へ行くに従って右方へ変位する傾斜面部４４ｄが形成されている。
【００９３】
保持フレーム２７には、収納凹部２２の開口面と規制部４４との間に上下に貫通された挿通孔４５が形成されている。
【００９４】
収納凹部２２を開閉する蓋部材２４は長手方向における一端部を支点として筐体２に回動自在に支持されている（図３、図５及び図７参照）。蓋部材２４は、図１８に示すように、蓋本体部４６と該蓋本体部４６の長手方向における一端部から突出された挿入突部４７とが一体に形成されて成る。
【００９５】
蓋本体部４６の前後両端部にはそれぞれ前方又は後方へ突出された被ロック片４６ａ、４６ａ、・・・が設けられている。被ロック片４６ａ、４６ａ、・・・は上下に離隔して前後両端部に２つずつが設けられ、Ｌ字状に形成されている。
【００９６】
蓋部材２４の長手方向が上下方向とされた状態（図１８参照）において、挿入突部４７は蓋本体部４６の上面における左半部から上方へ突出され、蓋本体部４６の上面が被規制面４６ｂとされる。挿入突部４７は前後に離隔して位置する柱状部４８、４８を有し、該柱状部４８、４８にはそれぞれ前後に貫通された軸挿通孔４８ａ、４８ａが形成されている。挿入突部４７における筐体２の右側面２ｆに対向する側の面には、コイルバネ４９を支持するバネ支持部４７ａが設けられている。
【００９７】
蓋部材２４の柱状部４８、４８間にはコイルバネ４９が配置される。コイルバネ４９はコイル部５０と該コイル部５０の両端からそれぞれ突出された第１の腕部５１、第２の腕部５２とから成る。第１の腕部５１と第２の腕部５２の先端部５１ａ、５２ａは略直角に折り曲げられている。
【００９８】
蓋部材２４は回動支点軸５３を介して筐体２に回動自在に支持されている。回動支点軸５３は、図１８に示すように、例えば、後方から保持フレーム２７の後側に位置する軸支持孔４３、蓋部材２４の後側に位置する軸挿通孔４８ａ、コイルバネ４９のコイル部５０、蓋部材２４の前側に位置する軸挿通孔４８ａ及び保持フレーム２７の前側に位置する軸支持孔４３を順に挿通される。
【００９９】
回動支点軸５３は軸支持孔４３、４３内で筐体２に対して上下方向へ移動可能とされ、蓋部材２４は回動支点軸５３を支点として筐体２に対して回動可能とされる。回動支点軸５３が軸支持孔４３、４３内で筐体２に対して上下方向へ移動されるときには、蓋部材２４が回動支点軸５３と一体となって筐体２に対して上下方向へ移動される。
【０１００】
上記のように蓋部材２４が筐体２に支持された状態において、蓋部材２４の上方側の移動端における位置が回動不能位置とされ、蓋部材２４の下方側の移動端における位置が回動可能位置とされる。
【０１０１】
蓋部材２４が筐体２に支持された状態においては、コイルバネ４９は、第１の腕部５１が弾性によって蓋部材２４の挿入突部４７のバネ支持部４７ａに左方から押し付けられ、第２の腕部５２が蓋部材２４の筐体２に対する位置に応じて弾性によって規制部４４の第２の受け面部４４ｃ、傾斜面部４４ｄ又は第１の受け面部４４ｂに押し付けられる。
【０１０２】
このように、第２の腕部５２は蓋部材２４の筐体２に対する位置に応じて規制部４４の第２の受け面部４４ｃと第１の受け面部４４ｂの間で摺接されるが、第２の腕部５２は先端部５２ａが直角に折り曲げられ先端が規制部４４から前方へ突出されている（図２０参照）。従って、第２の腕部５２が第２の受け面部４４ｃと第１の受け面部４４ｂの間で摺接されたときに、第２の腕部５２の先端縁と規制部４４との接触が回避され、規制部４４の傷付きを防止することができる。
【０１０３】
以下に、蓋部材２４の動作について説明する（図２１乃至図２７参照）。
【０１０４】
蓋部材２４が移動範囲の上端である回動不能位置にある状態においては、図２１に示すように、挿入突部４７が保持フレーム２７の挿通孔４５に下方から挿入され、コイルバネ４９の第２の腕部５２が規制部４４の第２の受け面部４４ｃに押し付けられている。従って、コイルバネ４９の第２の腕部５２の付勢力によって蓋部材２４に上方への移動力（図２１に示す矢印Ｆｕ）が付与されており、蓋本体部４６の被規制面４６ｂが規制部４４の回動規制面部４４ａに接触され、蓋部材２４の筐体２に対する回動が規制されている。
【０１０５】
このとき、収納凹部２２の開口縁に設けられたロック片２７ａ、２７ａ、・・・とそれぞれ蓋部材２４の被ロック片４６ａ、４６ａ、・・・とが係合され、蓋部材２４が回動不能位置にロックされている。
【０１０６】
蓋部材２４が回動不能位置から使用者の手動操作によって下方へスライドされて行くと、図２２に示すように、コイルバネ４９の第２の腕部５２が規制部４４の第２の受け面部４４ｃから傾斜面部４４ｄを経て第１の受け面部４４ｂまで摺動される。このとき回動支点軸５３が軸支持孔４３、４３内を蓋部材２４と一体となって下方へ移動され、蓋部材２４は下方側の移動端である回動可能位置に至る。
【０１０７】
蓋部材２４が回動可能位置に至ったときには、ロック片２７ａ、２７ａ、・・・と被ロック片４６ａ、４６ａ、・・・との係合が解除されており、また、コイルバネ４９の第１の腕部５１の付勢力によって蓋部材２４に右方への移動力（図２２に示す矢印Ｍ）が付与される。従って、使用者が蓋部材２４から指を離すと、コイルバネ４９の付勢力によって蓋部材２４が筐体２に対して回動支点軸５３を支点として回動される（図２３参照）。
【０１０８】
蓋部材２４は挿入突部４７が規制部４４の回動規制面部４４ａに接するまで回動され（図２４参照）、収納凹部２２からの充電電池２３の取出が可能な状態となる。
【０１０９】
このとき充電電池２３は収納凹部２２内において、収納凹部２２の下側開口縁に支持された電池ロック部材４２によってロックされている。電池ロック部材４２を回転することにより充電電池２３に対するロックが解除され、該充電電池２３を収納凹部２２から取り出すことができる。
【０１１０】
充電電池２３の収納凹部２２への収納は、電池ロック部材４２を充電電池２３を収納凹部２２から取り出すときと同じ方向へ回転した状態で行うことができる。充電電池２３が収納凹部２２に収納されると、電池ロック部材４２が充電電池２３を収納凹部２２から取り出すときと逆の方向へ回転され、充電電池２３が電池ロック部材４２によって収納凹部２２内でロックされる。
【０１１１】
蓋部材２４が収納凹部２２を閉塞する方向へ回動されると、蓋部材２４は回動可能位置に至る（図２５参照）。
【０１１２】
次いで、蓋部材２４を筐体２に対して押し上げてスライドさせる（図２６参照）。蓋部材２４を押し上げると、コイルバネ４９の第２の腕部５２が規制部４４の第１の受け面部４４ｂから傾斜面部４４ｄに摺動される（図２７参照）。コイルバネ４９の第２の腕部５２が傾斜面部４４ｄに接することにより、第２の腕部５２が傾斜面部４４ｄに押し付けられ、規制部４４に右斜め下方への力（図２７に示す矢印Ｐ）が付与され、その分力としての下方への力（図２７に示す矢印Ｐｄ）が第２の腕部５２から規制部４４に付与される。従って、蓋部材２４には、下方への力Ｐｄに対する反力として、上方への移動力（図２７に示す矢印Ｆｕ）が付与される。
【０１１３】
従って、使用者が上方へスライドされている蓋部材２４から指を離しても、蓋部材２４に付与された上方への移動力Ｆｕによって該蓋部材２４が上方へ向けてスライドされていく。
【０１１４】
蓋部材２４が移動力Ｆｕによってさらに上方へスライドされ、コイルバネ４９の第２の腕部５２が規制部４４の第２の受け面部４４ｃと傾斜面部４４ｄとが交わる部分に接触された状態とされると、第２の腕部５２による分力Ｐｄがさらに大きくなり（図２８参照）、蓋部材２４に付与される移動力Ｆｕも大きくなる。
【０１１５】
蓋部材２４は移動力Ｆｕによって回動不能位置に至り（図２１参照）、コイルバネ４９の第２の腕部５２が規制部４４の第２の受け面部４４ｃに押し付けられ、蓋本体部４６の被規制面４６ｂが規制部４４の回動規制面部４４ａに接し、蓋部材２４の筐体２に対する回動が規制される。
【０１１６】
このとき、収納凹部２２の開口縁に設けられたロック片２７ａ、２７ａ、・・・とそれぞれ蓋部材２４の被ロック片４６ａ、４６ａ、・・・とが係合され、蓋部材２４が回動不能位置にロックされる。
【０１１７】
上記したように、スチルカメラ１にあっては、蓋部材２４が回動支点軸５３を介して筐体２に支持される構成により、蓋部材２４の筐体２に対するスライド動作及び回動動作が可能とされているため、機構の簡素化を図ることができる。
【０１１８】
また、蓋部材２４が回動可能位置から回動不能位置へスライドされるときに、蓋部材２４に回動可能位置から回動不能位置へ向けての移動力Ｆｕがコイルバネ４９によって付与されるため、回動可能位置から回動不能位置までの蓋部材２４のスライド動作の全体を使用者が手動で行う必要がなく、スチルカメラ１の使い勝手の向上を図ることができる。
【０１１９】
さらに、蓋部材２４に対する回動可能位置から回動不能位置へ向けての移動力Ｆｕの付与をコイルバネ４９によって実現しているため、構成が簡単であり、スチルカメラ１の機構の簡素化及び製造コストの削減を図ることができる。
【０１２０】
さらにまた、スチルカメラ１にあっては、蓋部材２４の回動不能位置における回動を規制する役割を有する規制部４４にコイルバネ４９の第２の腕部５２を受ける第１の受け面部４４ｂと第２の受け面部４４ｃを形成しているため、蓋部材２４の回動不能位置における回動を規制する役割を有する部分と第２の腕部５２を受ける部分とを各別に設ける必要がなく、構造の簡素化を図ることができる。
【０１２１】
加えて、規制部４４にコイルバネ４９の第２の腕部５２が摺動される傾斜面部４４ｄを形成しているため、蓋部材２４を回動不能位置から回動可能位置へ向けてスライドさせるときには小さな力で蓋部材２４をスライドさせることができ、蓋部材２４を回動可能位置から回動不能位置へ向けてスライドさせるときには蓋部材２４に対する移動力Ｆｕをスライド開始後の早い段階で付与することができる。
【０１２２】
尚、上記には、規制部４４に傾斜面部４４ｄを形成して蓋部材２４に移動力Ｆｕを付与する例を示したが、規制部４４に傾斜面部４４ｄを形成しない場合においても、蓋部材２４に対して移動力Ｆｕを付与することが可能である。例えば、図２９に示すように、第１の受け面部４４ｂと第２の受け面部４４ｃが連続して形成されている場合に、コイルバネ４９の第２の腕部５２が第１の受け面部４４ｂと第２の受け面部４４ｃの連続部分を上方側に乗り越えると、分力Ｐｄに対する反力として移動力Ｆｕが蓋部材２４に付与される。
【０１２３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２４】
【図１】図２乃至図２９と共に本発明の最良の形態を示すものであり、本図は、スチルカメラをスライドカバーが閉塞位置にある状態で示す斜視図である。
【図２】スチルカメラをスライドカバーが開放位置にある状態で示す斜視図である。
【図３】スチルカメラの背面側を示す斜視図である。
【図４】スチルカメラの拡大底面図である。
【図５】スチルカメラの一部を示す拡大斜視図である。
【図６】ストラップの一端部がストラップ巻付部に巻き付けられた状態を示す拡大断面図である。
【図７】充電電池を取り出した状態で示すスチルカメラの斜視図である。
【図８】スチルカメラを使用している状態を示す斜視図である。
【図９】スチルカメラを把持している状態を示す正面図である。
【図１０】図９とは異なる方法でスチルカメラを把持している状態を示す正面図である。
【図１１】釦配置部、第１の押釦、第２の押釦及び釦ユニットを示す拡大分解斜視図である。
【図１２】釦配置部、第１の押釦、第２の押釦及び釦ユニットを示す拡大斜視図である。
【図１３】第１の押釦と第２の押釦を分離して示す拡大斜視図である。
【図１４】第１の押釦と第２の押釦を結合する途中の状態を示す拡大斜視図である。
【図１５】第１の押釦の係合ピンを第２の押釦の係合孔に挿入する前の状態を示す拡大断面図である。
【図１６】第１の押釦と第２の押釦を結合した状態を示す拡大斜視図である。
【図１７】第１の押釦の係合ピンを第２の押釦の係合孔に挿入した状態を示す拡大断面図である。
【図１８】保持フレーム、蓋部材、回動支点軸及びコイルバネを示す拡大分解斜視図である。
【図１９】保持フレームの一部を示す拡大断面図である。
【図２０】コイルバネの第２の腕部が規制部に接している状態を示す拡大斜視図である。
【図２１】図２２乃至図２６と共に蓋部材の動作を示すものであり、本図は、蓋部材が回動不能位置にある状態を示す拡大断面図である。
【図２２】蓋部材が回動不能位置から回動可能位置までスライドされた状態を示す拡大断面図である。
【図２３】蓋部材が回動可能位置から回動されている途中の状態を示す拡大断面図である。
【図２４】蓋部材が回動され収納凹部が開放された状態を示す拡大断面図である。
【図２５】蓋部材が回動可能位置まで回動された状態を示す拡大断面図である。
【図２６】蓋部材が回動可能位置から回動不能位置へ向けてスライドされている途中の状態を示す拡大断面図である。
【図２７】蓋部材が回動可能位置から回動不能位置へ向けてスライドされているときに生じる力を示す概念図である。
【図２８】図２７に引き続き、蓋部材が回動可能位置から回動不能位置へ向けてスライドされているときに生じる力を示す概念図である。
【図２９】規制部に傾斜面部が形成されていない場合において、蓋部材が回動可能位置から回動不能位置へ向けてスライドされているときに生じる力を示す概念図である。
【符号の説明】
【０１２５】
１３…第１の押釦、１４…第２の押釦、３５…環状操作部、３５ａ…配置孔、３６…突出部、３６ａ…係合ピン（第１の係合部）、３９…センター操作部、４０…撓み脚部、４１…結合部、４１ａ…係合孔（第２の係合部）
【図１】
2007257844.tif 000003
【図２】
2007257844.tif 000004
【図３】
2007257844.tif 000005
【図４】
2007257844.tif 000006
【図５】
2007257844.tif 000007
【図６】
2007257844.tif 000008
【図７】
2007257844.tif 000009
【図８】
2007257844.tif 000010
【図９】
2007257844.tif 000011
【図１０】
2007257844.tif 000012
【図１１】
2007257844.tif 000013
【図１２】
2007257844.tif 000014
【図１３】
2007257844.tif 000015
【図１４】
2007257844.tif 000016
【図１５】
2007257844.tif 000017
【図１６】
2007257844.tif 000018
【図１７】
2007257844.tif 000019
【図１８】
2007257844.tif 000020
【図１９】
2007257844.tif 000021
【図２０】
2007257844.tif 000022
【図２１】
2007257844.tif 000023
【図２２】
2007257844.tif 000024
【図２３】
2007257844.tif 000025
【図２４】
2007257844.tif 000026
【図２５】
2007257844.tif 000027
【図２６】
2007257844.tif 000028
【図２７】
2007257844.tif 000029
【図２８】
2007257844.tif 000030
【図２９】
2007257844.tif 000031